(57)【要約】      （修正有）【課題】らせんバネの露出を完全に防止して装飾性や外観性への悪影響を抑制することができる新規なバネ回動装置を提供する。【解決手段】らせんバネが収容された円筒部５０を有する回動部３０が形成された第１部材２０と、円筒部の両端部を保持する第１保持部６０及び第２保持部６５が形成された第２部材２５とからなり、円筒部の端部の一側に固定筒壁部が形成され、かつ他側に可動筒壁部が形成され、固定筒壁部及び可動筒壁部の各内面にらせんバネの各端部を固定するバネ受け部が形成されているとともに、固定筒壁部の外面には回動突部及び可動筒壁部の外面には係合突部５７が形成され、第１保持部には固定筒壁部外面の回動突部を回動自在に保持する第１挿入孔が形成され、第２保持部には可動筒壁部外面の係合突部を係合可能に保持する第２挿入孔６６が形成されている。【選択図】図１
2011036368.tif 000002
【特許請求の範囲】
【請求項１】
らせんバネが収容された円筒部を有する回動部が形成された第１部材と、前記円筒部の両端部を保持する第１保持部及び第２保持部が形成された第２部材とからなるバネ回動装置であって、
前記第１部材の前記円筒部の端部の一側に固定筒壁部が形成され、かつ他側には前記円筒部内面の円周方向に摺動可能な可動筒壁部が形成されていて、前記固定筒壁部及び可動筒壁部の各内面に前記らせんバネの各端部を固定するバネ受け部がそれぞれ形成されているとともに、前記固定筒壁部の外面には回動突部及び前記可動筒壁部の外面には係合突部がそれぞれ形成されており、
前記第２部材の前記第１保持部には前記固定筒壁部外面の回動突部を回動自在に保持する第１挿入孔が形成されており、前記第２保持部には前記可動筒壁部外面の係合突部を係合可能に保持する第２挿入孔が形成されている
ことを特徴とするバネ回動装置。
【請求項２】
前記第１保持部又は第２保持部の内面側に、前記第１挿入孔又は第２挿入孔に至る開放凹溝部が形成されている請求項１に記載のバネ回動装置。
【請求項３】
前記第１部材及び第２部材が操作部の操作によって開閉する第１挟持部材及び第２挟持部材からなるクリップ部材である請求項１又は２に記載のバネ回動装置。
【請求項４】
前記クリップ部材がヘアクリップである請求項３に記載のバネ回動装置。
【発明の詳細な説明】
【技術分野】
【０００１】
本発明は、らせんバネが収容された円筒部を有する回動部が形成された第１部材と、前記円筒部の両端部を保持する第１保持部及び第２保持部が形成された第２部材とからなるバネ回動装置に関する。
【背景技術】
【０００２】
ヘアクリップ，紙止めクリップ，わに口クリップ等の各種クリップ部材、洗濯バサミや布団バサミ、穴開けパンチ等のバネ回動装置は、貫通軸が嵌挿されたらせんバネが第１部材及び第２部材によって軸支された回動部を有し、前記らせんバネが第１部材及び第２部材を付勢するとともに、操作部の操作によりらせんバネの付勢力に抗して第１部材及び第２部材を回動させて物品の狭持や穴開け等を行うように構成される。
【０００３】
しかるに、上記バネ回動装置では、例えば図９に示す紙止めクリップ１００のように、回動部１３０を構成するらせんバネ１４０が露出し、らせんバネ１４０の各端部１４２，１４３がらせんバネ本体１４１の円周方向の外側に突出した状態で第１部材１１１としての第１狭持部材１２０及び第２部材１１２としての第２狭持部材１２５と接触して付勢するように設けられている（例えば、特許文献１参照。）。そのため、らせんバネ１４０を含む回動部１３０の機械的な構造が外部から直接的に見えてしまうことになり、外観性や装飾性の観点から好ましくない。なお、図中の符号１２１，１２６は第１狭持部材１２０及び第２狭持部材１２５を開閉するための操作部、１３５はらせんバネ１４０に嵌挿されてる貫通軸、１５０，１５５，１６０，１６５は貫通軸１３５が嵌挿されたらせんバネ１４０を保持するための保持部である。
【０００４】
特に、装身具として用いられるヘアクリップ等では、第１狭持部材（第１部材）及び第２狭持部材（第２部材）の色合いや形状等に工夫を凝らして装飾性を高めることが重要であるため、前記のようにらせんバネが露出してしまうと、回動部の機械的な構造が直接的に見えてしまうので、非常に見苦しく、装身具としての装飾性や外観性を著しく低下させる嫌いがある。
【０００５】
そこで、らせんバネを外部から見えにくくするために、回動部にカバーを設けてらせんバネを被覆するように構成したヘアクリップ（バネ回動装置）が提案されている（例えば、特許文献２参照。）。しかしながら、このようなヘアクリップであっても、第１狭持部材（第１部材）及び第２狭持部材（第２部材）を付勢するためにらせんバネの各端部が円周方向の外側に外側に突出して形成されていることから、らせんバネの各端部が外部から直接的に見えてしまい、らせんバネの露出を完全に防止することができず装飾性や外観性への悪影響は避けられない。
【先行技術文献】
【特許文献】
【０００６】
【特許文献１】特開平５−３０１４９１号公報
【特許文献２】第３２０９５２５号公報
【発明の概要】
【発明が解決しようとする課題】
【０００７】
本発明は上記の点に鑑みなされたものであり、らせんバネの露出を完全に防止して装飾性や外観性への悪影響を抑制することができる新規なバネ回動装置を提供するものである。
【課題を解決するための手段】
【０００８】
すなわち、請求項１の発明は、らせんバネが収容された円筒部を有する回動部が形成された第１部材と、前記円筒部の両端部を保持する第１保持部及び第２保持部が形成された第２部材とからなるバネ回動装置であって、前記第１部材の前記円筒部の端部の一側に固定筒壁部が形成され、かつ他側には前記円筒部内面の円周方向に摺動可能な可動筒壁部が形成されていて、前記固定筒壁部及び可動筒壁部の各内面に前記らせんバネの各端部を固定するバネ受け部がそれぞれ形成されているとともに、前記固定筒壁部の外面には回動突部及び前記可動筒壁部の外面には係合突部がそれぞれ形成されており、前記第２部材の前記第１保持部には前記固定筒壁部外面の回動突部を回動自在に保持する第１挿入孔が形成されており、前記第２保持部には前記可動筒壁部外面の係合突部を係合可能に保持する第２挿入孔が形成されていることを特徴とするバネ回動装置に係る。
【０００９】
請求項２の発明は、前記第１保持部又は第２保持部の内面側に、前記第１挿入孔又は第２挿入孔に至る開放凹溝部が形成されている請求項１に記載のバネ回動装置に係る。
【００１０】
請求項３の発明は、前記第１部材及び第２部材が操作部の操作によって開閉する第１挟持部材及び第２挟持部材からなるクリップ部材である請求項１又は２に記載のバネ回動装置に係る。
【００１１】
請求項４の発明は、前記クリップ部材がヘアクリップである請求項３に記載のバネ回動装置に係る。
【発明の効果】
【００１２】
請求項１の発明に係るバネ回動装置は、らせんバネが収容された円筒部を有する回動部が形成された第１部材と、前記円筒部の両端部を保持する第１保持部及び第２保持部が形成された第２部材とからなるバネ回動装置であって、前記第１部材の前記円筒部の端部の一側に固定筒壁部が形成され、かつ他側には前記円筒部内面の円周方向に摺動可能な可動筒壁部が形成されていて、前記固定筒壁部及び可動筒壁部の各内面に前記らせんバネの各端部を固定するバネ受け部がそれぞれ形成されているとともに、前記固定筒壁部の外面には回動突部及び前記可動筒壁部の外面には係合突部がそれぞれ形成されており、前記第２部材の前記第１保持部には前記固定筒壁部外面の回動突部を回動自在に保持する第１挿入孔が形成されており、前記第２保持部には前記可動筒壁部外面の係合突部を係合可能に保ｐ持する第２挿入孔が形成されているため、らせんバネの露出を完全に防止することができて装飾性や外観性に悪影響を及ぼすことがない。しかも、回動部の機能性を損なうことがなく、らせんバネの交換作業等も簡便かつ効率的に実施することができるので、実用性にも優れる。
【００１３】
請求項２の発明は、請求項１の発明において、前記第１保持部又は第２保持部の内面側に、前記第１挿入孔又は第２挿入孔に至る開放凹溝部が形成されているため、第１挿入孔又は第２挿入孔に対して回動突部又は係合突部を着脱しやすくなり、組み立てや分解が容易となる。
【００１４】
請求項３の発明は、請求項１又は２の発明において、前記第１部材及び第２部材が操作部の操作によって開閉する第１挟持部材及び第２挟持部材からなるクリップ部材であるため、装飾性や外観性に加え実用性にも優れたクリップ部材を提供することができる。
【００１５】
請求項４の発明は、請求項３において、前記クリップ部材がヘアクリップであるため、装身具としての装飾性や外観性が損なわれる恐れがない。
【図面の簡単な説明】
【００１６】
【図１】本発明の一実施例に係るバネ回動装置の斜視図である。
【図２】図１のバネ回動装置の第１部材の斜視図である。
【図３】図１のバネ回動装置の第２部材の斜視図である。
【図４】回動部の分解斜視図である。
【図５】可動筒壁部の斜視図である。
【図６】バネ回動装置の開閉状態を表す側面図である。
【図７】回動部の要部拡大図である。
【図８】回動部の要部断面図である。
【図９】従来のバネ回動装置の斜視図である。
【発明を実施するための形態】
【００１７】
図１に示す本発明の１実施例に係るバネ回動装置１０は、回動部３０が形成された第１部材１１と、第１保持部６０及び第２保持部６５が形成された第２部材１２とからなる。以下の実施例において、バネ回動装置１０は、ヘアクリップからなるクリップ部材１０Ａとして説明する。
【００１８】
ヘアクリップ１０Ａは、図１〜３，６に示すように、第１部材１１及び第２部材１２が操作部２１，２６の操作によって開閉する第１狭持部材２０及び第２狭持部材２５とされる。図中の符号２２，２７は、装着時に髪を狭持するための第１狭持部材２０及び第２狭持部材２５の爪部であり、第１狭持部材２０及び第２狭持部材２５の閉鎖時に交差するように構成される。
【００１９】
回動部３０は、図１，２，４に示すように、らせんバネ４０が収容された円筒部５０を有する。図２において、符号３１は、後述する第１保持部６０及び第２保持部６５に当接して回動範囲を規制するための回動規制部である。
【００２０】
らせんバネ４０は、図４に示すように、らせん状に形成されたバネ本体４１と、バネ本体４１の円周方向外側に突出しないように形成された各端部４２，４３からなる。このらせんバネ４０では、バネ本体４１がらせん状に形成されていることにより、常時軸方向に付勢力が作用するとともに、円周方向に荷重が作用した際にねじれによる反発力（付勢力）を発生させることができる。実施例のらせんバネ４０では、各端部４２，４３がバネ本体４１の円周方向内側に折り曲げられて形成されている。
【００２１】
円筒部５０は、らせんバネ４０を各端部４２，４３を含めて収納して露出を完全に防止するものであって、図２，４，８に示すように、端部の一側に固定筒壁部５１が形成され、かつ他側には円筒部内面５０Ａの円周方向に摺動可能な可動筒壁部５５が形成される。
【００２２】
固定筒壁部５１は、図２，４に示すように円筒部５０の一側端部と一体とされ、内面にらせんバネ４０の端部４２を固定するバネ受け部５２と外面に回動突部５３とがそれぞれ形成される。バネ受け部５２は、らせんバネ４０の端部４２の形状に対応した形状で形成され、実施例では円筒部５０の軸方向に直交する溝部５２Ｂが形成された突部５２Ａからなる。また、回動突部５３は円柱状に形成される。
【００２３】
可動筒壁部５５は、図４，５に示すように円筒部５０の他側端部と分離可能とされ、内面にらせんバネ４０の端部４３を固定するバネ受け部５６と外面に外面に係合突部５７とがそれぞれ形成されている。バネ受け部５６は、らせんバネ４０の端部４３の形状に対応した形状で形成され、実施例では前記バネ受け部５２と同様に円筒部５０の軸方向に直交する溝部５６Ｂが形成された突部５６Ａからなる。また、係合突部５７は、楕円状、角柱状等の所定形状に形成され、実施例では平面視略長方形の角柱状に形成される。
【００２４】
第１保持部６０及び第２保持部６５は、図１，３，８に示すように、互いに対面して配置され、円筒部４０の両端部を保持するように構成される。実施例では、第１保持部６０及び第２保持部６５がそれぞれ先端円弧状の側面視略逆Ｕ字状に形成される。
【００２５】
第１保持部６０には、固定筒壁部５１外面の回動突部５３を回動自在に保持する第１挿入孔６１が形成されている。第１挿入孔６１の形状としては、回動突部５３を回動自在に保持することが可能であれば特に限定されないが、実施例では円柱状の回動突部５３回動自在に挿入可能な円形の貫通孔とされる。
【００２６】
第２保持部６５には、可動筒壁部５５外面の係合突部５７を係合可能に保持する第２挿入孔６６が形成されている。第２挿入孔６６の形状としては、係合突部５７を回動不可能に係合保持することが可能であれば特に限定されるものではなく、係合突部５７の形状に対応した貫通孔とされる。実施例の第２挿入孔６６は、平面視略長方形の角柱状の係合突部５７が回動不可能に挿入可能な略長方形の貫通孔である。
【００２７】
また、第１保持部６０又は第２保持部６５の内面側には、第１挿入孔６１又は第２挿入孔６６に至る開放凹溝部６２を形成することが好ましい。実施例の開放凹溝部６２は、第２保持部６５の内面側に形成されている。このように、開放凹溝部６２を形成することにより、当該ヘアクリップ１０Ａを組み立てる又は分解する際に第１挿入孔６１又は第２挿入孔６６に対して回動突部５３又は係合突部５７を着脱しやすくなり、作業効率が向上する。
【００２８】
次に、ヘアクリップ１０Ａの組み立て手順について説明する。まず、図４，８に示すように、らせんバネ４０を円筒部５０内に収納し、らせんバネ４０の端部４２を円筒部５０の固定筒壁部５１内面のバネ受け部５２に固定させるとともに、可動筒壁部５５のバネ受け部５６をらせんバネ４０の端部４３に固定させる。
【００２９】
続いて、可動筒壁部５５をバネ本体４１の軸方向の付勢力に抗して円筒部５０内の固定筒壁部５１側に押し込みながら、円筒部５０が第２狭持部材２５の第１保持部６０と第２保持部６５との間に配置し、固定筒壁部５１の回動突部５３を第１保持部６０の第１挿入孔６１に挿入させるとともに、可動筒壁部５５の係合突部５７を第２保持部６５の第２挿入孔６６に挿入させる。
【００３０】
その際、可動筒壁部５５がらせんバネ４０によって固定筒壁部５１の反対側に付勢されることにより第２保持部６５に押しつけられるため、円筒部５０が脱落することなく第１保持部６０及び第２保持部６５に保持される。これにより、第１狭持部材２０と第２狭持部材２５とが回動可能に連結されて、ヘアクリップ１０Ａの組み立てが完了する。なお、ヘアクリップ１０Ａを分解する場合は、第２保持部６５の第２挿入孔６６を介して可動筒壁部５５の係合突部５７をバネ本体４１の軸方向の付勢力に抗して円筒部５０内の固定筒壁部５１側に押し込んで係合突部５７と第２挿入孔６６との係合状態を解除することにより、容易に行うことができる。
【００３１】
次に、ヘアクリップ１０Ａの作動について、具体的に説明する。まず、図１，図６（ａ），図７（ａ），図８（ａ）に示す閉鎖状態のヘアクリップ１０Ａでは、第１狭持部材２０の操作部２１と第２狭持部材２５の操作部２６とが互いに離隔されるとともに、第１狭持部材２０の爪部２２と第２狭持部材２５の爪部２７とが交差（閉鎖）される。
【００３２】
この時、回動部３０において、らせんバネ４０の端部４２を固定する固定筒壁部５１が第１狭持部材２０の円筒部５０一側端部に一体に形成されているとともに、らせんバネ４０の端部４３を固定する可動筒壁部５５が第２狭持部材２５の第２保持部６５の第２保持孔６６に係合されていることによって、第１狭持部材２０と第２狭持部材２５の閉鎖状態が保持される。
【００３３】
一方、図６（ｂ），図７（ｂ）に示すように、ヘアクリップ１０Ａを閉鎖状態から操作部２１，２６を操作して第１狭持部材２０及び第２狭持部材２５を開放する場合、操作部２１，２６が互いに近接されることによって、回動部３０を回転軸として爪部２２，２７が互いに離隔された状態とされる。
【００３４】
ここで、回動部３０では、らせんバネ４０の端部４２が固定筒壁部５１によって固定されているのに対し、らせんバネ４０の端部４３が可動筒壁部５５によって固定されているため、図６（ｂ），図７（ｂ），図８（ｂ）に示すように、第２保持部６５の第２保持孔６６と係合した可動筒壁部５５が円筒部内面５０Ａの円周方向に摺動し、第２保持部６５とともに回動される。その際、可動筒壁部５５がらせんバネ４０の端部４３を固定していることにより、らせんバネ４０のバネ本体４１が円周方向にねじられて、反発力（付勢力）が発生する。
【００３５】
これにより、当該ヘアクリップ１０Ａでは、操作部２１，２６の操作により第１狭持部材２０及び第２狭持部材２５がらせんバネ４０のねじれによる反発力（付勢力）に抗して開放され、操作部２１，２６の操作を中止（例えば、手を放す等）することにより、らせんバネ４０の反発力に従って第１狭持部材２０及び第２狭持部材２５を閉鎖状態に戻すことができ、従来と同様に髪留め等を効果的に実施することができる。
【００３６】
なお、ヘアクリップ１０Ａにおいて、第１狭持部材２０と第２狭持部材２５の閉鎖方向の回動範囲は、図７（ａ）に示すように、第１保持部６０の前側（図示せず）及び第２保持部６５の前側６５ａが回動規制部３１と当接することによって規制される。また、第１狭持部材２０と第２狭持部材２５の開放方向の回動範囲は、図７（ｂ）に示すように、第１保持部６０の後側（図示せず）及び第２保持部６５の後側６５ｂが回動規制部３１と当接することによって規制される。
【００３７】
以上図示し説明したように、本発明のバネ回動装置１０では、らせんバネ４０が各端部４２，４３を含めて円筒部５０に収納されるため、らせんバネ４０の露出を完全に防止することができ、装飾性や外観性に悪影響を及ぼすことがない。特に、ヘアクリップに最適であり、装身具としての装飾性や外観性が損なわれる恐れがない。
【００３８】
また、らせんバネ４０の各端部４２，４３が円筒部５０の固定筒壁部５１の内面に形成されたバネ受け部５２と可動筒壁部５５の内面に形成されたバネ受け部５６とによって固定されるため、貫通軸を用いることなく従来と同様に回動部３０の機能を発揮することができ、しかも、らせんバネ４０の軸方向の付勢力に抗して可動筒壁部５５を押し込むことによって容易に着脱することが可能であるため、らせんバネのさび付きや破損等の際の交換作業を簡便かつ効率的に実施することができ、実用性にも優れる。
【００３９】
なお、本発明のバネ回動装置は、前述の実施例のみに限定されるものではなく、発明の趣旨を逸脱しない範囲において構成の一部を適宜に変更して実施することができる。例えば、実施例では、バネ回動装置としてヘアクリップからなるクリップ部材を例に説明したが、これに限らず、紙止めクリップ，わに口クリップ等の他のクリップ部材、洗濯バサミや布団バサミ、穴開けパンチ等においても同様に構成することができる。
【符号の説明】
【００４０】
１０    バネ回動装置
１０Ａ    ヘアクリップ（クリップ部材）
１１    第１部材
１２    第２部材
２０    第１狭持部材
２１    操作部
２５    第２狭持部材
２６    操作部
３０    回動部
４０    らせんバネ
５０    円筒部
５１    固定筒壁部
５２    バネ受け部
５３    回動突部
５５    可動筒壁部
５６    バネ受け部
５７    係合突部
６０    第１保持部
６１    第１挿入孔
６５    第２保持部
６６    第２挿入孔
【図１】
2011036368.tif 000003
【図２】
2011036368.tif 000004
【図３】
2011036368.tif 000005
【図４】
2011036368.tif 000006
【図５】
2011036368.tif 000007
【図６】
2011036368.tif 000008
【図７】
2011036368.tif 000009
【図８】
2011036368.tif 000010
【図９】
2011036368.tif 000011